(57)【特許請求の範囲】
【請求項１】
音が透過するように多孔質の板材で球形にした外殻体の内部に，音非透過性の板材で構成した六つの中空状円錐体を，その頂点が前記外殻体における球の中心に位置し，且つ，当該各円錐体の最大径部が互いに接するように設けて，前記外殻体の内部に，前記各円錐体の内部における六つの区画部屋を設け，この各区画部屋内に，グラスウール又はロックウール等の軟質繊維系の吸音材を充填したことを特徴とする吸音体の構造。
【請求項２】
音が透過するように多孔質の板材で球形にした外殻体の内部に，当該外殻体の内径を直径とする三枚の円板状の音非透過性隔壁板を，当該各音非透過性隔壁板の中心が前記外殻体における球の中心に一致した状態で互いに直角になるように組み合わせて配設して，前記外殻体の内部に，八つの区画部屋を設け，この各区画部屋内に，グラスウール又はロックウール等の軟質繊維系の吸音材を充填したことを特徴とする吸音体の構造。
【請求項３】
前記請求項１又は２の記載において，前記各区画部屋内における吸音材を，通気性を有する撥水性シートにて被覆したことを特徴とする吸音体の構造。
【請求項４】
前記請求項１〜３のいずれかの記載において，前記外殻体を，一対の半球体に分割したことを特徴とする吸音体の構造。
【発明の詳細な説明】
【０００１】
【発明の属する技術分野】
本発明は，スピーカ又は騒音源等のような音の発生源から発生する音を吸収するように，円柱形又は球形にした吸音体の構造に関するものである。
【０００２】
【従来の技術】
一般に，このように円柱形又は球形にした吸音体は，その複数個又は一つを，例えば，建物における部屋の隅部，壁面又は天井面に設置して使用するとか，或いは，高速道路等の騒音源を囲う防音壁に組み込んで使用するものであり，従来，この種の吸音体は，以下に述べるように構成している。
【０００３】
すなわち，図１（ａ）及び（ｂ）示すように，音が透過するように多孔質の円筒形にした外殻体１の内部に，グラスウール又はロックウール等の軟質繊維系の吸音材２を充填する（特開平１１−１３３９７９号公報等参照）とか，或いは，図２（ａ）及び（ｂ）に示すように，同じく音が透過するように多孔質の円筒形にした外殻体３の内部に，音が透過しないように非多孔質で小径の円筒形にした内筒体４を挿入し，この前記外殻体３と内筒体４との間に，グラスウール又はロックウール等の軟質繊維系の吸音材５を充填するという構成にしている。
【０００４】
【発明が解決しようとする課題】
しかし，前者の吸音体においては，これに吸音すべき音を，図１（ｂ）に矢印で示すように，当該吸音体の軸線と直角の方向に受けた場合，中心付近に対する音は，吸音材２のうち厚さの厚い層の部分を通過することにより高い吸音性能を有するが，前記よりも外側で外周の近い部分に対する音は，吸音材２のうち厚さの薄い層の部分を反対側に通り抜けることになるから，全体として十分な吸音性能を得ることができないのであり，また，後者の吸音体においては，これに吸音すべき音を，図２（ｂ）に矢印で示すように，当該吸音体の軸線と直角の方向に受けた場合，中心付近に対する音は，一部の音が内筒体４の表面にて反射し吸音材５の層を二回通過することにより高い吸音性能を有するが，前記よりも外側で外周に近い部分に対する音は，前記と同様に，吸音材４のうち厚さの薄い層の部分を反対側に通り抜けることになるから，全体として十分な吸音性能を得ることができないという問題がある。
【０００５】
しかも，前記した従来の吸音体は，いずれも，可成りの音が反対側に抜けることにより，その吸音性能を向上するには，その背面側に，前記図１（ｂ）及び図２（ｂ）に二点鎖線で示すように，音が透過しないようにした壁板６を配設することを必要とし，換言すると，従来の吸音体は，いずれも，その背面側に対する壁板６と一緒に設置することが必要で且つ十分な条件であることも問題であった。
【０００６】
本発明は，音が通り抜けることがなく単独で高い吸音性能を有する吸音体の構造を提供することを技術的課題とするものである。
【０００７】
【課題を解決するための手段】
この技術的課題を達成するため本発明の請求項１は，
「音が透過するように多孔質の板材で球形にした外殻体の内部に，音非透過性の板材で構成した六つの中空状円錐体を，その頂点が前記外殻体における球の中心に位置し，且つ，当該各円錐体の最大径部が互いに接するように設けて，前記外殻体の内部に，前記各円錐体の内部における六つの区画部屋を設け，この各区画部屋内に，グラスウール又はロックウール等の軟質繊維系の吸音材を充填した。」
ことを特徴としている。
【０００８】
また，本発明の請求項２は，
「音が透過するように多孔質の板材で球形にした外殻体の内部に，当該外殻体の内径を直径とする三枚の円板状の音非透過性隔壁板を，当該各音非透過性隔壁板の中心が前記外殻体における球の中心に一致した状態で互いに直角になるように組み合わせて配設して，前記外殻体の内部に，八つの区画部屋を設け，この各区画部屋内に，グラスウール又はロックウール等の軟質繊維系の吸音材を充填した。」
ことを特徴としている。
【０００９】
更にまた，本発明の請求項３は，
「前記請求項１又は２の記載において，前記各区画部屋内における吸音材を，通気性を有する撥水性シートにて被覆した。」
ことを特徴としている。
【００１０】
加えて，本発明の請求項４は，
「前記請求項１〜３のいずれかの記載において，前記外殻体を，一対の半球体に分割した。」
ことを特徴としている。
【００１１】
【発明の作用・効果】
請求項１に記載した構成の球形の吸音体においては，当該吸音体が吸音すべき音を受けた場合，この音の総てが，当該吸音体を反対側に通り抜けることを音非透過性の板材による中空状円錐体にて確実に阻止することができるとともに，前記音の総ては，前記円錐体の内面において反射して，円錐体内部の区画部屋内における吸音材の層を少なくとも二回にわたって通過することにより，この吸音材にて確実に吸音することができるから，その吸音性能は高く，場合によって，従来における背面側の壁板を廃止でき，しかも，六つの円錐体及びその内部に充填した吸音材とが，球形の吸音体の全表面に対するあらゆる方向からの音に対しても高い吸音性能を発揮するというように方向性がないから，吸音体の設置が容易にできる。
【００１２】
また，請求項２に記載した構成の球形の吸音体においては，当該吸音体が吸音すべき音を受けた場合，この音の総てが，当該吸音体を反対側に通り抜けることを音非透過性隔壁板により確実に阻止することができるとともに，前記音の総ては，前記音非透過性隔壁板の表面において反射して，当該音非透過性隔壁板間の区画部屋内における吸音材の層を少なくとも二回にわたって通過することにより，この吸音材にて確実に吸音することができるから，その吸音性能は高く，場合によって，従来における背面側の壁板を廃止でき，しかも，三枚の音非透過性隔壁板があらゆる方向からの音に対しても高い吸音性能を発揮するというように方向がないから，吸音体の設置が容易にできる。
【００１３】
特に，請求項３に記載したように構成することにより，吸音材内に大気中の水分又は雨水等が侵入することを，撥水性シートにて少なくできるから，水分による吸音性能の低下を確実に低減できる。
【００１４】
【発明の実施の形態】
以下，本発明の実施の形態を図面について説明する。
【００１５】
先ず，図３〜図５は，本発明に対する参考例を示す。
【００１６】
この参考例は，吸音体を円柱形にした場合であり，この図において，符号１１は，外殻体を示し，この外殻体１１は，多数の孔を穿設した薄い金属板又は合成樹脂板，或いは，金属又は合成樹脂製の網等のように音が透過する多孔質の板材で中空の円筒形に形成している。
【００１７】
符号１２は，金属板又は合成樹脂板等のような音非透過性の板材による隔壁板１２を示し，この音非透過性隔壁板１２の四枚を，前記外殻体１１内に，当該外殻体１１の軸線方向に延び，且つ，当該外殻体１１の軸線方向から見て半径方向外向きに９０度の等しい間隔で放射状に延びように配設することにより，前記外殻体１の内部に，断面扇型にした四つの区画部屋１３を設ける。
【００１８】
なお，前記四枚の音非透過性隔壁板１２は，これを予め断面十字状に組み立てたのち前記外殻体１１内に挿入するようにしても良い。
【００１９】
そして，前記各区画部屋１３内に，グラスウール又はロックウール等の軟質繊維系の吸音材１４を充填する。
【００２０】
この場合において，図示していないが，前記吸音材１４を，これをポリエステルクロス又はガラスクロス等のように通気性を有する撥水シートにて被覆（包む）するようにしても良い。
【００２１】
なお，この吸音材１４の前記各区画部屋１３内への充填に際しては，この吸音材１４を前記撥水シートにて被覆（包む）した形態にし，前記十字状に組み立てた各音非透過性隔壁板１２間の区画部屋１３内に装填したのち，前記外殻体１１内に挿入するという方法を採用することができる。
【００２２】
これにより，図４及び図５に示すように，円柱形の吸音体Ａを得ることができるのであり，この円柱形の吸音体Ａは，その一つ又は複数個を，例えば，建物における部屋の隅部，壁面又は天井面に設置するようにして使用されるか，或いは，高速道路等の騒音源を囲う防音壁に組み込むようにして使用される。
【００２３】
そして，この構成の吸音体Ａに対して，当該吸音体が吸音すべき音を軸線と直角の方向に受けた場合，この音の総てが，当該吸音体を反対側に通り抜けることを内部に設けた音非透過性隔壁板１２にて確実に阻止できるとともに，前記音の総ては，図５に矢印で示すように，前記音非透過性隔壁板１２の表面において反射して，当該音非透過性隔壁板１２間の区画部屋１３内に充填した吸音材１４の層を少なくとも二回にわたって通過することになるから，この吸音材１４にて確実に吸音することができる。
【００２４】
しかも，前記音非透過性隔壁板１２は，四枚で，外殻体１１の軸線方向から見て半径方向外向きに９０度の等しい間隔で放射状に延びるように配設されていることにより，この四枚の音非透過性隔壁板１２が，軸線方向から見て３６０度のいずれの方向からの音に対しても前記した吸音作用を確実に行うことができる。
【００２５】
また，前記外殻体１１内における各区画部屋１３内に充填した吸音材１４を，撥水シートにて被覆（包む）するという構成にした場合には，外殻体１１の表面に結露した大気中の水分とか，雨水等の水分が前記吸音材１４内に侵入することを，撥水シートにて確実に低減できる。
【００２６】
この場合において，前記外殻体１１内に，当該外殻体１１の軸線方向から見て半径方向外向きの放射状に延びるように配設する音非透過性隔壁板１２は，前記図示のように，四枚にして外殻体１１内に四つの区画部屋１３を形成することに限らず，変形例を示す図６のように，外殻体１１′内に，三枚の音非透過性隔壁板１２′を１２０度の等しい間隔で放射状に配設して，外殻体１１′内に三つの区画部屋１３′を形成し，この各区画部屋１３′内に吸音材１４を′を充填して，円柱形の吸音体Ａ′に構成することによっても，前記と略同様の効果を得ることができるのであり，要するに，前記音非透過性隔壁板を，少なくとも三枚以上にして，外殻体内を三つ以上の区画部屋を形成することにより，所定の効果を得ることができるのである。
【００２７】
次に，図７〜図１２は，本発明における第１の実施の形態を示す。
【００２８】
この第１の実施の形態は，吸音体を球形にした場合であり，この図において，符号２１は，外殻体を示し，この外殻体２１は，多数の孔を穿設した薄い金属板又は合成樹脂板，或いは，金属又は合成樹脂製の網等のように音が透過する多孔質の板材で中空の球形であり，且つ，左右一対の二つの半球体２１ａ，２１ｂに分割している。
【００２９】
符号２２は，金属板又は合成樹脂板等のような音非透過性の板材による中空状の円錐体を示し，この中空状円錐体２２の六個を，その頂点が前記外殻体２１における球の中心に位置し，且つ，当該各円錐体２２の最大径部が互いに接するようにして互いに結合する。  前記各中空状円錐体２２の内部２３に，グラスウール又はロックウール等の軟質繊維系の吸音材２４を充填するか，或いは，この吸音材２４を撥水シートにて被覆（包む）した形態にして充填する。
【００３０】
そして，これらの全体を，前記二つ割りにした球形の外殻体２１にてカバーすることにより，図１１及び図１２に示すように，球形の吸音体Ｂを得ることができるのであり，この球形の吸音体Ｂは，前記円柱形の吸音体Ａと同様に，その一つ又は複数個を，例えば，建物における部屋の隅部，壁面又は天井面に設置するようにして使用されるか，或いは，高速道路等の騒音源を囲う防音壁に組み込むようにして使用される。
【００３１】
この構成の吸音体Ｂに対して，当該吸音体Ｂが吸音すべき音を受けた場合，この音の総てが，当該吸音体Ｂを反対側に通り抜けることを音非透過性の板材による中空状円錐体２２にて確実に阻止することができるとともに，前記音の総ては，前記円錐体２２内に入り，その内面において反射して，円錐体２２内部の区画部屋２３内における吸音材２４の層を少なくとも二回にわたって通過することにより，この吸音材２４にて確実に吸音することができ，しかも，前記六つの円錐体２２と，その内部に充填した吸音材２４とが，球形の吸音体Ｂの全表面に対するあらゆる方向からの音に対しても高い吸音性能を発揮するのである。
【００３２】
更に，図１３及び図１４は，本発明における第２の実施の形態を示す。
【００３３】
この第２の実施の形態は，前記中空球形の外殻体２１の内部に，複数の区画部屋を設けるに際して，前記外殻体２１の内径を直径とする三枚の円板形の音非透過性隔壁板２２′を，当該各音非透過性隔壁板２２′の中心が前記外殻体２１における球の中心に一致した状態で互いに直角になるように組み合わせることにより，前記外殻体２１内に，八つの区画部屋２３′を形成して，この各区画部屋２３′内に，グラスウール又はロックウール等の軟質繊維系の吸音材を充填するか，或いは，この吸音材を撥水シートにて被覆（包む）した形態にして充填したものであり，その他の構成は，前記第１の実施の形態と同様である。
【００３４】
この構成による球形の吸音体に音を受けた場合，この音の総てが，当該吸音体を反対側に通り抜けることを音非透過性隔壁板２２′により確実に阻止することができるとともに，前記音の総ては，前記音非透過性隔壁板２２′の表面において反射して，当該音非透過性隔壁板２２′間の区画部屋２３′内における吸音材の層を少なくとも二回にわたって通過することにより，この吸音材にて確実に吸音することができ，しかも，前記互いに直角に組み合わせた三枚の音非透過性隔壁板２２′と，その間の区画部屋に充填した吸音材とが，球形の吸音体の全表面に対するあらゆる方向からの音に対しても高い吸音性能を発揮するのである。
【図面の簡単な説明】
【図１】従来における吸音体を示し（ａ）は縦断正面図で（ｂ）は平断面図である。
【図２】従来における別の吸音体を示し（ａ）は縦断正面図で（ｂ）は平断面図である。
【図３】本発明に対する参考例を示す分解斜視図である。
【図４】前記参考例による円柱形の吸音体を示す斜視図である。
【図５】図４のＶ−Ｖ視拡大平断面図である。
【図６】前記参考例における変形例を示す平断面図である。
【図７】本発明における第１の実施の形態を示す分解斜視図である。
【図８】図７のVIII−VIII視断面図である。
【図９】図７のIX−IX視断面図である。
【図１０】図７のＸ−Ｘ視断面図である。
【図１１】前記第１の実施の形態による球形の吸音体を示す斜視図である。
【図１２】図１１のXII −XII 視断面図である。
【図１３】本発明における第２の実施の形態を示す斜視図である。
【図１４】図１３のXIV −XIV 視断面図である。
【符号の説明】
Ｂ                    球形の吸音体
２１                  中空状の外殻体
２２                  中空状の円錐体
２３                  区画部屋
２４                  吸音材
２２′                円形の音非透過性隔壁板
２３′                区画部屋
【図１】
0003925783.tif 000002
【図２】
0003925783.tif 000003
【図３】
0003925783.tif 000004
【図４】
0003925783.tif 000005
【図５】
0003925783.tif 000006
【図６】
0003925783.tif 000007
【図７】
0003925783.tif 000008
【図８】
0003925783.tif 000009
【図９】
0003925783.tif 000010
【図１０】
0003925783.tif 000011
【図１１】
0003925783.tif 000012
【図１２】
0003925783.tif 000013
【図１３】
0003925783.tif 000014
【図１４】
0003925783.tif 000015